(57)【要約】【課題】溶接作業によらず、ボード取付用野縁を、梁である横倒Ｈ形鋼に簡単容易に取り付けることができ、ボードの取付作業能率を向上できると共に、火災などの不測の事態を生じることなくボードの取り付けが行なえるボード取付用金物を提供する。【解決手段】梁である横倒Ｈ形鋼１の側面側及び下面側を覆うようにボードＢ１，Ｂ２を取り付けるためのボード取付用金物であって、横倒Ｈ形鋼１の下部フランジ４にその長手方向に移動調整可能にボルト５で固定される連結金物６と、連結金物６に上下スライド調整可能にボルト７で固定される取付金物９とからなり、取付金物９は、側面側ボードＢ１を取り付ける側面側ボード取付用野縁１１に係合する第１係合部１３、及び下面側ボードＢ２を取り付ける下面側ボード取付用野縁１２に係合する第２係合部１４を有する。【選択図】図１
2005220730.tif 000002
【特許請求の範囲】
【請求項１】
建物に設けられた梁である横倒Ｈ形鋼の側面側及び下面側を覆うようにボードを取り付けるためのボード取付用金物であって、
横倒Ｈ形鋼の下部フランジにその長手方向に移動調整可能にボルトで固定される連結金物と、この連結金物に上下スライド調整可能にボルトで固定される取付金物とからなり、取付金物は、側面側ボードを取り付ける側面側ボード取付用野縁に係合する第１係合部、及び下面側ボードを取り付ける下面側ボード取付用野縁に係合する第２係合部を有するボード取付用金物。
【請求項２】
取付金物は、側面側ボード取付用野縁に係合する第１係合部、下面側ボード取付用野縁に係合する第２係合部、他の側面側ボード取付用野縁を受ける野縁受けの端部を取り付けるための第１取付部、及び他の下面側ボード取付用野縁を受ける野縁受けの端部を取り付けるための第２取付部を有する請求項１に記載のボード取付用金物。
【請求項３】
取付金物は、側面側ボード取付用野縁に係合する第１係合部、下面側ボード取付用野縁に係合する第２係合部、及び他の下面側ボード取付用野縁を受ける野縁受けの端部を取り付けるための第２取付部を有し、連結金物は、他の側面側ボード取付用野縁を受ける野縁受けの端部を取り付けるための第１取付部を有する請求項１に記載のボード取付用金物。
【請求項４】
連結金物は、上部片と、下部片と、上下両部片をつなぎ、取付金物が上下スライド可能に嵌合される垂直片とによって側面視コ字状に形成され、上部片の上面側には連結金物固定ボルトを螺入するためのネジ孔を設け、垂直片には取付金物固定ボルトを螺入し又は挿通するボルト孔を設け、取付金物は、連結金物の垂直片に上下スライド可能に嵌合する金物本体を有し、この金物本体には、取付金物固定ボルトが挿通する上下に長い長孔を設けると共に、側面側ボード取付用野縁に係合する第１係合部及び下面側ボード取付用野縁に係合する第２係合部を夫々一体に設けてなる請求項１に記載のボード取付用金物。
【請求項５】
取付金物の金物本体には、側面側ボード取付用野縁に係合する第１係合部と、下面側ボード取付用野縁に係合する第２係合部と、他の側面側ボード取付用野縁を受ける野縁受けの端部を取り付けるための第１取付部と、他の下面側ボード取付用野縁を受ける野縁受けの端部を取り付けるための第２取付部を夫々一体に設けてなる請求項２又は４に記載のボード取付用金物。
【請求項６】
取付金物の金物本体には、側面側ボード取付用野縁に係合する第１係合部と、下面側ボード取付用野縁に係合する第２係合部と、他の下面側ボード取付用野縁を受ける野縁受けの端部を取り付けるための第２取付部とを夫々一体に設け、連結金物にはその上部片に、他の側面側ボード取付用野縁を受ける野縁受けの端部を取り付けるための第１取付部を一体に設けてなる３又は請求項４に記載のボード取付用金物。
【請求項７】
連結金物は、横倒Ｈ形鋼の下部フランジに固定するにあたり、上部片が下部フランジの上側で下部片がその下側に位置するように取り付けて、上部片のネジ孔に螺入した連結金物固定ボルトを下部フランジの上面に押し付けるか、又は下部片が下部フランジの上側で上部片がその下側に位置するように取り付けて、下側に位置する上部片のネジ孔に螺入した連結金物固定ボルトを下部フランジの下面に押し付けるようにしてなる請求項１〜６の何れかに記載のボード取付用金物。
【発明の詳細な説明】
【技術分野】
【０００１】
建物に設けられた梁である横倒Ｈ形鋼の側面側及び下面側を覆うようにボードを取り付けるためのボード取付用金物に関する。
【背景技術】
【０００２】
鉄筋コンクリート建物の床スラブ下面等に露出して設けられた梁である横倒Ｈ形鋼は、防火対策及び外観上の体裁のために、その左右側面側及び下面側が夫々、石膏ボード等の耐火ボードで覆われるようになっている。このように横倒Ｈ形鋼の左右側面側及び下面側を夫々ボードで覆う従来方法として、特許公報等の公知文献を具体的に挙げることはできないが、従来では、横倒Ｈ形鋼に取付用の枠体を溶接し、この枠体に、側面側ボードを取り付けるための野縁及び下面側ボードを取り付けるための野縁を夫々取り付け、これらの野縁に側面側ボード及び下面ボードを夫々取り付けていた。
【発明の開示】
【発明が解決しようとする課題】
【０００３】
上記のような従来の方法では、取付用枠体を、溶接によって梁であるＨ形鋼に取り付けるので、溶接作業に非常な手間がかかって、施工能率が悪く、また溶接の火花で火災の発生するおそれがあるなどの問題があった。そこで、本発明は、溶接作業によることなく、ボード取付用野縁を梁である横倒Ｈ形鋼に簡単容易に取り付けることができて、ボードの取付作業能率を向上できると共に、火災などの不測の事態を生じることなくボードの取り付けが行なえるボード取付用金物を提供することを目的とする。
【課題を解決するための手段】
【０００４】
上記課題を解決するための手段を、後述する実施形態の参照符号を付して説明すると、請求項１に係る発明は、建物に設けられた梁である横倒Ｈ形鋼１の側面側及び下面側を覆うようにボードＢ１，Ｂ２を取り付けるためのボード取付用金物であって、横倒Ｈ形鋼１の下部フランジ４にその長手方向に移動調整可能にボルト５で固定される連結金物６と、この連結金物６に上下スライド調整可能にボルト７で固定される取付金物８とからなり、取付金物８は、側面側ボードＢ１を取り付ける側面側ボード取付用野縁１１に係合する第１係合部１３、及び下面側ボードＢ２を取り付ける下面側ボード取付用野縁１２に係合する第２係合部１３を有することを特徴とする。
【０００５】
請求項２は、請求項１に記載のボード取付用金物において、取付金物８は、側面側ボード取付用野縁１１に係合する第１係合部１３、下面側ボード取付用野縁１２に係合する第２係合部１４、他の側面側ボード取付用野縁３１を受ける野縁受け３５の端部を取り付けるための第１取付部３３、及び他の下面側ボード取付用野縁３２を受ける野縁受け３６の端部を取り付けるための第２取付部３４を有することを特徴とする。
【０００６】
請求項３は、請求項１に記載のボード取付用金物において、取付金物は、側面側ボード取付用野縁１１に係合する第１係合部１３、下面側ボード取付用野縁１２に係合する第２係合部１４、及び他の下面側ボード取付用野縁３２を受ける野縁受け３６の端部を取り付けるための第２取付部３４を有し、連結金物６は、他の側面側ボード取付用野縁３１を受ける野縁受け３５の端部を取り付けるための第１取付部３３を有することを特徴としている。
【０００７】
請求項４は、請求項１に記載のボード取付用金物において、連結金物６は、上部片１５と、下部片１６と、上下両部片１５，１６をつなぎ、取付金物８が上下スライド可能に嵌合される垂直片１７とによって側面視コ字状に形成され、上部片１５の上面側には連結金物固定ボルト５を螺入するためのネジ孔１８を設け、垂直片１７には取付金物固定ボルト７を螺入し又は挿通するボルト孔１９又は３９を設け、取付金物８は、連結金物６の垂直片１７に上下スライド可能に嵌合する金物本体２０を有し、この金物本体２０には、取付金物固定ボルト７が挿通する上下に長い長孔２２を設けると共に、側面側ボード取付用野縁１１に係合する第１係合部１３及び下面側ボード取付用野縁１２に係合する第２係合部１４を夫々一体に設けてなる。
【０００８】
請求項５は、請求項２又は４に記載のボード取付用金物において、取付金物８の金物本体２０には、側面側ボード取付用野縁１１に係合する第１係合部１３と、下面側ボード取付用野縁１２に係合する第２係合部１４と、他の側面側ボード取付用野縁３１を受ける野縁受け３５の端部を取り付けるための第１取付部３３と、他の下面側ボード取付用野縁３２を受ける野縁受け３６の端部を取り付けるための第２取付部３４を夫々一体に設けてなることを特徴とする。
【０００９】
請求項６は、請求項３又は４に記載のボード取付用金物において、取付金物８の金物本体２０には、側面側ボード取付用野縁１１に係合する第１係合部１３と、下面側ボード取付用野縁１２に係合する第２係合部１４と、他の下面側ボード取付用野縁３２を受ける野縁受け３６の端部を取り付けるための第２取付部３４とを夫々一体に設け、連結金物６にはその上部片１５に、他の側面側ボード取付用野縁３１を受ける野縁受け３５の端部を取り付けるための第１取付部３３を一体に設けてなることを特徴とする。
【００１０】
請求項７は、請求項１〜６の何れかに記載のボード取付用金物において、連結金物６は、横倒Ｈ形鋼の下部フランジ４に固定するにあたり、上部片１５が下部フランジ４の上側で下部片１６がその下側に位置するように取り付けて、上部片１５のネジ孔１８に螺入した連結金物固定ボルト５を下部フランジ４の上面に押し付けるか、又は下部片１６が下部フランジ４の上側で上部片１５がその下側に位置するように取り付けて、下側に位置する上部片１５のネジ孔１８に螺入した連結金物固定ボルト５を下部フランジ４の下面に押し付けるようにしてなることを特徴とする。
【発明の効果】
【００１１】
上記解決手段による発明の効果を、後述する実施形態の参照符号を付して説明すると、請求項１に係る発明によれば、梁である横倒Ｈ形鋼１の側面側及び下面側にボードＢ１，Ｂ２を取り付けるにあたって、溶接作業を一切行なう必要がなく、取付金物８を取り付けた連結金物６を横倒Ｈ形鋼１の下部フランジ４に取り付け、取付金物８の第１係合部１３に側面側ボード取付用野縁１１を係合し、第２係合部１４に下面側ボード取付用野縁１２を係合するだけでよく、従ってボードの取付作業能率を向上できると共に、火災などの不測の事態が発生することなく、作業を安全に行なうことができる。
【００１２】
また横倒Ｈ形鋼１の下部フランジ４に連結金物６を取り付ける際には、その取付位置を下部フランジ４の長手方向に沿って自由に設定できるから、下部フランジ４の所要位置に連結金物６を取り付けることができる。また取付金物８は連結金物６に対して上下スライド調整可能に取り付けられるから、例えば横倒Ｈ形鋼１が途中で連結プレートを介してボルトで連結されている場合、その連結プレートの厚さ分及びボルトの頭分だけ側面側ボードＢ１の上下方向幅が広くなるが、そのように側面側ボードＢ１の上下方向幅が多少変更された場合でも、取付金物８を連結金物６に対し上下にスライド調整することによって、側面側ボードＢ１を的確に取り付けることができる。
【００１３】
請求項２に係る発明によれば、取付金物８は、第１係合部１３及び第２係合部１４の他に、他の側面側ボード取付用野縁３１を受ける野縁受け３５の端部を取り付けるための第１取付部３３と、他の下面側ボード取付用野縁３２を受ける野縁受け３６の端部を取り付けるための第２取付部３４を有するから、横倒Ｈ形鋼１が比較的大型で側面側ボードＢ１及び下面側ボードＢ２のサイズが大きくなるような場合には、第１取付部３３及び第２取付部３４を使用して野縁受け３５，３６を取り付け、野縁受け３５に他の側面側ボード取付用野縁３１を、また野縁受け３６に他の下面側ボード取付用野縁３２を夫々取り付けることによって、側面側ボードＢ１及び下面側ボードＢ２を的確に安定状態で取り付けることができる。
【００１４】
請求項３に係る発明のように、第１係合部１３と第２係合部１４と第２取付部３４とを取付金物８に設け、第１取付部３３を連結金物６に設けるようにしてもよい。
【００１５】
請求項４に係る発明によれば、連結金物６は、横倒Ｈ形鋼１の下部フランジ４に嵌め込んでボルト５を締めるだけで簡単に取り付けできると共に、構造が簡単で安価に製作できるものである。また取付金物８は、金物本体２０に設けた長孔２０長孔２２及び連結金物６側のボルト孔１９又は３９を介して取付金物固定ボルト７により連結金物６に上下スライド可能に簡単に取り付けでき、また構造が簡単であるから、安価に製作できる。
【００１６】
また取付金物８は、金物本体２０に、側面側ボード取付用野縁１１に係合する第１係合部１３及び下面側ボード取付用野縁１２に係合する第２係合部１４を夫々一体に設けてなるもので、第１係合部１３と第２係合部１４とが互いに直交する位置で互いに接近した位置に設けられるから、第１係合部１３及び第２係合部１４に側面側ボード取付用野縁１１及び下面側ボード取付用野縁１２を夫々取り付けることにより、側面側ボード取付用野縁１１は側面側ボードＢ１の出来るだけ下端部を支持でき、また下面側ボード取付用野縁１２は下部フランジ４の出来るだけ左右側の端部を支持することができ、それによって側面側ボードＢ１及び下面側ボードＢ２は夫々の端部がガタついたりすることなく、側面側ボード取付用野縁１１及び下面側ボード取付用野縁１２によって的確に支持されて取り付け固定される。
【００１７】
請求項５に記載の発明のように、取付金物８の金物本体２０に、第１係合部１３、第２係合部１４、第１取付部３３及び第２取付部３４を設けることによって、取付金物８を連結金物６に対し上下にスライドさせることで、側面側ボード取付用野縁１１，３１及び下面側ボード取付用野縁１２，３２の高さ位置を調整することができる。
【００１８】
請求項６に記載の発明のように、連結金物６に第１取付部３３を設ける場合には、この第１取付部３３は連結金物６の上部片１５に一体に突設するとよい。
【００１９】
請求項７に記載のように、連結金物６を横倒Ｈ形鋼１の下部フランジ４に固定する際、連結金物６は、その上部片１５が下部フランジ４の上側で下部片１６がその下側に位置するように取り付けて、上部片１５のネジ孔１８に螺入した連結金物固定ボルト５を下部フランジ４の上面に押し付けるようにしてもよいし、又は下部片１６が下部フランジ４の上側で上部片１５がその下側に位置するように取り付けて、下側に位置する上部片１５のネジ孔１８に螺入した連結金物固定ボルト５を下部フランジ４の下面に押し付けるようにしてもよい。後者のように、連結金物６を、下部片１６が下部フランジ４の上側で上部片１５が下側に位置するように取り付ければ、横倒Ｈ形鋼１の下側で連結金物固定ボルト５の締付作業を行えるから、作業がし易くなる。
【発明を実施するための最良の形態】
【００２０】
図１は本発明に係るボード取付用金物Ａの一実施形態を示す正面図、図２はボード取付用金物Ａの斜視図である。図３の(a) はボード取付用金物Ａの一部である連結金物６の展開状態を示す平面図、(b) は連結金物６の斜視図であり、また図４の(a) はボード取付用金物Ａの一部である取付金物８の展開状態を示す平面図、(b) は取付金物８の斜視図である。
【００２１】
図１に示すように、鉄筋コンクリート建物の床スラブＦＳの下面に露出して設けられた梁である横倒Ｈ形鋼１は、ウェブ２と上下のフランジ３，４とによって形成されている。本発明に係るボード取付用金物Ａは、横倒Ｈ形鋼１の下部フランジ４にその長手方向に移動調整可能にボルト５で固定される連結金物６と、この連結金物６に上下スライド調整可能にボルト７で固定される取付金物８とからなるもので、取付金物８は、側面側ボードＢ１を取り付ける側面側ボード取付用野縁１１に係合する第１係合部１３、下面側ボードＢ２を取り付ける下面側ボード取付用野縁１２に係合する第２係合部１４、他の側面側ボード取付用野縁３１（図５参照）を受ける野縁受け３５の端部を取り付けるための第１取付部３３、及び他の下面側ボード取付用野縁３２（図５参照）を受ける野縁受け３６の端部を取り付けるための第２取付部３４を有する。
【００２２】
上記ボード取付用金物Ａの構造について更に詳しく説明すると、連結金物６は、図３の(b) に示すように、上部片１５と、下部片１６と、両部片をつなぎ、取付金物８が上下スライド可能に嵌合される垂直片１７とによって側面視コ字状に形成されている。上部片１５は、上面板１５ａと両側面板１５ｂ，１５ｂとで断面コ字状に形成され、その上面板１５ａの先端側には連結金物固定ボルト５を螺入するためのネジ孔１８が設けられている。このネジ孔１８は上面板１５ａにバーリング加工して形成される。
【００２３】
連結金物６の下部片１６は両側一対の側面板１６ａ，１６ａからなり、各側面板１６ａの上端には下部フランジ４の下面に当接する支持面板１６ｂが外側へ直角に突設されている。垂直片１７は、両側一対の側面板１７ｂ，１７ｂと、片方の側面板１７ｂの外側縁から折曲突設された端面板１７ａとからなり、端面板１７ａにはその上部と下部とに、取付金物固定ボルト７を螺入するネジ孔１９が設けられている。各ねじ孔１９は端面板１７ａにバーリング加工して形成される。
【００２４】
この連結金物６は、所定形状に裁断された１枚の金属板Ｍ１をプレス加工により折曲して形成されるもので、その展開状態を図３の(a) に示す。この図３の(a) において、ＢＬは折り曲げ線を示す。
【００２５】
取付金物８は、図４の(b) に示すように、連結金物６の垂直片１７に上下スライド可能に嵌合する金物本体２０を有し、この金物本体２０には、取付金物固定ボルト７が挿通する上下に長い長孔２２が設けられていると共に、図５から分かるように、側面側ボード取付用野縁１１に係合する第１係合部１３と、下面側ボード取付用野縁１２に係合する第２係合部１４と、他の側面側ボード取付用野縁３１（図７参照）を受ける野縁受け３５の端部を取り付けるための第１取付部３３と、他の下面側ボード取付用野縁３２（図７参照）を受ける野縁受け３６の端部を取り付けるための第２取付部３４が夫々一体に設けられている。
【００２６】
取付金物８の金物本体２０は、図４及び図５に示すように、端面板２０ａと、この端面板２０ａの両側縁部から直角に突設された側面板２０ｂ，２０ｂとによって断面コ字状に形成されていて、端面板２０ａの一側縁部側から円弧形の第１係合部１３が端面板２０ａに対し直角に突設され、また端面板２０ａの他側縁部にある側面板２０ｂの下端部に夫々円弧形の２つの第２係合部１４，１４が一体に連設され、この第２係合部１４，１４に隣接して第２取付部３４が突設され、更に側面板２０ｂの上端部側に第１取付部３３が連設されている。そしてまた端面板２０ａの中央部に、取付金物固定ボルト７が挿通する上下に長い長孔２２が形成されている。この取付金物８も、所定形状に裁断された１枚の金属板Ｍ２をプレス加工により折曲して形成されるもので、その展開状態を図４の(a) に示す。この図４の(a) において、ＢＬは折り曲げ線を示す。
【００２７】
側面側ボードＢ１を取り付ける側面側ボード取付用野縁１１は、図１及び図５に示すように、周知構造のリップ付きチャンネル材からなるもので、そのリップ１１ａ，１１ａの内面側に取付金物８の第１係合部１３の両端部１３ａ，１３ａが係合して、この係合状態で側面側ボード取付用野縁１１が図１に示すように横向きに取付金物８に取り付けられるようになっている。下面側ボードＢ２を取り付ける下面側ボード取付用野縁１２も、周知構造のリップ付きチャンネル材からなるもので、側面側ボード取付用野縁１１の２倍の幅を有し、そのリップ１２ａ，１２ａの夫々内面側に２つの第２係合部１４，１４の夫々の両端部１４ａ、１４ａが係合して、この係合状態で下面側ボード取付用野縁１２が図１に示すように上向きに取付金物８に取り付けられるようになっている。
【００２８】
第１取付部３３に取り付けられる野縁受け３５及び第２取付部３４に取り付けられる野縁受け３６は、図５に示すように、夫々周知構造のチャンネル材、即ちウエブ３５ａ，３６ａと両側一対のフランジ３５ｂ，３５ｂ、３６ｂ，３６ｂからなる。第１取付部３３には野縁受け３５のウエブ３５ａの端部が当接されてビス止めされ、また第２取付部３４には野縁受け３６のウエブ３６ａの端部が当接されてビス止めされる。第１取付部３３及び第２取付部３４には夫々ビス挿通孔３３ｏ，３４ｏが設けられている。
【００２９】
上記のように構成される連結金物６と取付金物８とからなるボード取付用金物Ａの使用方法について説明すると、図１は、鉄筋コンクリート建物の床スラブＦＳの下面に露出して設けられた梁である横倒Ｈ形鋼１の両側面側及び下面側を覆うように側面側ボードＢ１，Ｂ１及び下面側ボードＢ２を取り付けた状態を示す。
【００３０】
先ず、連結金物６に取付金物８を取り付けてボード取付用金物Ａを組み立てる。即ち、取付金物８のコ字状金物本体２０を連結金物６の垂直片１７に嵌合し、取付金物固定ボルト７を金物本体２０の長孔２２より垂直片１７のネジ孔１９に螺合して、軽く締め付けた状態で、取付金物８を連結金物６に対し上下にスライドして所定高さ位置に調整した後、ボルト７を強く締め付けることによって、取付金物８を連結金物６に固定し、図１に示すような状態とする。
【００３１】
こうして組み立てたボード取付用金物Ａを、図１及び図２に示すように、横倒Ｈ形鋼１の下部フランジ４の両側に夫々長手方向に沿って所要間隔おきに取り付け固定する。この金物Ａの取付けにあたっては、連結金物固定ボルト５を緩めて、上部片１５が横倒Ｈ形鋼１の下部フランジ４の上側で下部片１６がその下側に位置するように連結金物６を下部フランジ４に嵌め込み、連結金物６の垂直片１７をフランジ４の端面４ａに押し付けた状態で、連結金物固定ボルト５を締め付けて下部フランジ４の上面に押し付け、連結金物６を下部フランジ４に固定する。
【００３２】
こうして横倒Ｈ形鋼１の下部フランジ４の両側に取り付けた左右のボード取付用金物Ａ，Ａは、図１から分かるように、双方の取付金物８，８が互いに前後に反転した取付状態となっている。これは、図１の右側の下部フランジ４に取り付けられた金物Ａは、図２に示す金物Ａと同じ取付状態であるが、図１の左側の下部フランジ４に取り付けられた金物Ａは、図１の右側下部フランジ４に取り付けられる金物Ａをそのまま水平回りに１８０度回転させた状態で図１の左側下部フランジ４に取り付けられることになるからである。
【００３３】
上記のように横倒Ｈ形鋼１の下部フランジ４の両側に夫々取り付けた取付金物８の第１係合部１３を側面側ボード取付用野縁１１に係合させることによって、この側面側ボード取付用野縁１１を取付金物８に取り付け固定する。また、取付金物８の第２係合部１４を下面側ボード取付用野縁１２に係合することによって、下面側ボード取付用野縁１２を取付金物８に取り付け固定する。
【００３４】
また図１に示すように、床スラブＦＳの下面には上記のように取り付けた側面側ボード取付用野縁１１の直上位置に、側面側ボードＢ１の上端部を固定するためのランナー２３を釘２４等によって固定する。このランナー２３はチャンネル材からなるものである。
【００３５】
その後、図１に示すように横倒Ｈ形鋼１の一方の側面側に側面側ボードＢ１を配して、この側面側ボードＢ１の上端部位からランナー２３に釘等を打ち込んで固定すると共に、このボードＢ１の下端部位から側面側ボード取付用野縁１１の底面部に釘等を打ち込んで固定する。また、横倒Ｈ形鋼１の他方の側面側にも側面側ボードＢ１を配して、上記同様に側面側ボードＢ１の上端部位からランナー２３に釘等を打ち込んで固定すると共に、その下端部位から側面側ボード取付用野縁１１の底面部に釘等を打ち込んで固定する。こうしてランナー２３及び側面側ボード取付用野縁１１に取り付け固定した両方の側面側ボードＢ１，Ｂ１の下端部同士をつなぐように下面側ボードＢ２を両方の下面側ボード取付用野縁１２，１２に対し釘打ち等により取り付け固定する。これによってボードＢ１，Ｂ２の取付作業を終了する。
【００３６】
図６は、梁である横倒Ｈ形鋼１が鉄筋コンクリート建物の側壁部Ｗに隣接した位置で床スラブＦＳの下面に露出して設けられた場合に、この横倒Ｈ形鋼１の片方の側面側及び下面側を覆うように側面側ボードＢ１及び下面側ボードＢ２を取り付けた状態を示す。この場合のボード取付用金物Ａの使用方法は、横倒Ｈ形鋼１の下部フランジ４の片側にのみボード取付用金物Ａを取り付け、側壁部Ｗにランナー２３を取り付けて、下面側ボードＢ２の一端側を下面側ボード取付用野縁１２に取り付け、他端部側をランナー２３に取り付けるようにした点が図１の場合と異なるだけで、それ以外は上述した説明と同じである。
【００３７】
図７は本発明に係るボード取付用金物Ａの更にの一実施形態を示す正面図で、各ボード取付用金物Ａの第１係合部１３及び第２係合部１４と共に第１取付部３３及び第２取付部３４を使用する場合を示す。即ち、図１及び図５に示す使用例では、側面側ボードＢ１及び下面側ボードＢ２を取り付けるのに、各ボード取付用金物Ａの第１係合部１３と第２係合部１４しか使用していないが、梁として比較的大型の横倒Ｈ形鋼１が使用されると、それだけ側面側ボードＢ１及び下面側ボードＢ２も高さや幅が大きくなるため、側面側ボードＢ１の高さ方向中間部を他の側面側ボード取付用野縁３１で、また下面側ボードＢ２の幅方向中間部を他の下面側ボード取付用野縁３２で支持する必要があり、従ってこのような場合には他の側面側ボード取付用野縁３１を受ける野縁受け３５の端部を取り付けるための第１取付部３３、及び他の下面側ボード取付用野縁３２を受ける野縁受け３６の端部を取り付けるための第２取付部３４を使用するというものである。
【００３８】
この図７に示す実施形態においては、図１に示す実施形態の場合と同様に、ボード取付用金物Ａを横倒Ｈ形鋼１の下部フランジ４の両側に夫々長手方向に沿って所要間隔おきに取り付け固定し、各金物Ａの取付金物８の第１係合部１３を側面側ボード取付用野縁１１に係合させ、第２係合部１４を下面側ボード取付用野縁１２に係合させる。
【００３９】
そして、各金物Ａの取付金物８の第１取付部３３に、所要長さに切断した野縁受け３５のウエブ３５ａ下端部を当接させて、第１取付部３３のビス挿通孔３３ｏから当該ウエブ３５ａ下端部に図示しないビス（タッピッグビス）をねじ込んで固定する。この野縁受け３５の上端部は、図１に示すように、床スラブＦＳの下面に取り付けられたリップ付きチャンネル材からなるランナー３７に周知のジョイント３８を介して連結固定し、しかしてこの野縁受け３５の中間所要部に周知のフック部材（図示省略）によって他の側面側ボード取付用野縁３１を取り付ける。
【００４０】
また、横倒Ｈ形鋼１の下部フランジ４の両側に取り付けられた左右両金物Ａ，Ａの取付金物８，８の対向する第２取付部３４，３４に、下面側ボード取付用野縁３２を受けるためのチャンネル材からなる野縁受け３６の両端部を図７の(a) に示すように取り付ける。この場合、左右両金物Ａ，Ａの取付金物８，８が互いに前後に反転した取付状態となっていることから、チャンネル材からなる野縁受け３６の一端部は図５に示すような状態で図７の(a) の右側に示す金物Ａの取付金物８の第２取付部３４に嵌め込んでビス止めできるが、野縁受け３６の他端部を図７の(a) の左側に示す金物Ａ第２取付部３４に取り付ける際に、この野縁受け３６他端部のフランジ３６ｂが連結金物６の下部片１６に当たって、ビス止めできないため、図７の(b) に示すように、この野縁受け３６他端部ではフランジ３６ｂを適当長さに亘って切除する（その切除部分を３６ｏで示す）。
【００４１】
こうして野縁受け３６の両端部を左右両金物Ａ，Ａの取付金物８，８の対向する第２取付部３４，３４に取り付けた後、この野縁受け３６に下面側ボード取付用野縁３２を周知のフック部材（図示省略）によって取り付ける。
【００４２】
そして、図７の(a) に示すように横倒Ｈ形鋼１の左右の側面側に夫々側面側ボードＢ１，Ｂ１を夫々配して、各側面側ボードＢ１の上端部位、中間部位及び下端部位を、ランナー３７及び野縁３１，１１に釘打ち等によって固定する。また、こうして固定した両方の側面側ボードＢ１，Ｂ１の下端部同士をつなぐように下面側ボードＢ２を左右両下面側ボード取付用野縁１２，１２及び中間の下面側ボード取付用野縁３２に対し釘打ち等により固定する。これによってボードＢ１，Ｂ２の取付作業を終了する。
【００４３】
以上説明した実施形態では、ボード取付用金物Ａの連結金物６を横倒Ｈ形鋼の下部フランジ４に固定するにあたって、上部片１５が下部フランジ４の上側で下部片１６がその下側に位置するように取り付け、上部片１５のネジ孔１８に螺入した連結金物固定ボルト５を下部フランジ４の上面に押し付けるようにしたが、連結金物６は上下を逆にした状態で横倒Ｈ形鋼の下部フランジ４に取り付けてもよい。図８には、連結金物６の下部片１６が下部フランジ４の上側で上部片１５がその下側に位置するように取り付けて、下側に位置する上部片１５のネジ孔１８に螺入した連結金物固定ボルト５を下部フランジ４の下面に押し付けるようにする場合の実施形態を示す。この場合、取付金物８は、逆さまにすることなく当初の正立状態で連結金物６に取り付ける。
【００４４】
このように連結金物６の下部片１６が横倒Ｈ形鋼の下部フランジ４の上側で上部片１５がその下側に位置するように取り付ける場合は、図８の(b) から分かるように、連結金物固定ボルト５を締め付ける作業が横倒Ｈ形鋼の下部フランジ４の下側から行えるため、締付作業がし易く、作業能率が向上する。
【００４５】
また、以上説明した図１〜図８に示される実施形態のボード取付用金物Ａでは、取付金物８の金物本体２０に、側面側ボード取付用野縁１１に係合する第１係合部１３と、下面側ボード取付用野縁１２に係合する第２係合部１４と、他の側面側ボード取付用野縁３１を受ける野縁受け３５の端部を取り付けるための第１取付部３３と、他の下面側ボード取付用野縁３２を受ける野縁受け３６の端部を取り付けるための第２取付部３４とを設けているが、図９に示すボード取付用金物Ｂでは、取付金物８の金物本体２０に、側面側ボード取付用野縁１１に係合する第１係合部１３と、下面側ボード取付用野縁１２に係合する第２係合部１４と、他の下面側ボード取付用野縁３２を受ける野縁受け３６の端部を取り付けるための第２取付部３４とを夫々一体に設け、他の側面側ボード取付用野縁３１を受ける野縁受け３５の端部を取り付けるための第１取付部３３は、連結金物６の上部片１５に一体に突設する。他の構成については、ボード取付用金物Ａと殆ど同じである。
【００４６】
また図１〜図８に示される実施形態のボード取付用金物Ａでは、取付金物８を連結金物６に固定する取付金物固定ボルト７を連結金物６の垂直片１７に設けたネジ孔１９にねじ込むようにしているが、この取付金物固定ボルト７は、図９に示すボード取付用金物Ｂのように、連結金物６の垂直片１７にはボルト挿通孔３９を設け、このボルト挿通孔３９と取付金物８の金物本体２０の長孔２２とに亘って取付金物固定ボルト７を挿通し、その挿通端部にナット４０を螺合して締め付けるようにしてもよい。
【００４７】
以上の種々の実施形態の説明から分かるように、本発明に係るボード取付用金物Ａ，Ｂは、梁である横倒Ｈ形鋼１の下部フランジ４にボルト５で固定される連結金物６と、この連結金物６に上下スライド調整可能にボルト７で固定される取付金物８とからなるもので、取付金物８は、側面側ボードＢ１を取り付ける側面側ボード取付用野縁１１に係合する第１係合部１３、及び下面側ボードＢ２を取り付ける下面側ボード取付用野縁１２に係合する第２係合部１４を有するから、横倒Ｈ形鋼１の側面側及び下面側にボードＢ１，Ｂ２を取り付けるにあたっては、溶接作業を一切行なう必要がなく、取付金物８を取り付けた連結金物６を横倒Ｈ形鋼１の下部フランジ４に取り付け、取付金物８の第１係合部１３に側面側ボード取付用野縁１１を係合し、第２係合部１４に下面側ボード取付用野縁１２を係合するだけでよく、従ってボードの取付作業能率を向上できると共に、火災などの不測の事態の発生を生じることなく、作業を安全に行なうことができる。
【００４８】
また、横倒Ｈ形鋼１の下部フランジ４に連結金物６を取り付ける際には、その取付位置を下部フランジ４の長手方向に沿って自由に設定できるから、下部フランジ４の所要位置に連結金物６を取り付けることができる。また取付金物８は連結金物６に対して上下スライド調整可能に取り付けられるから、例えば横倒Ｈ形鋼１が途中で連結プレートを介してボルトにより連結されている場合には、その連結プレートの厚さ分及びボルトの頭分だけ側面側ボードＢ１の上下方向幅が広くなるが、そのように側面側ボードＢ１の上下方向幅が多少変更された場合でも、取付金物８を連結金物６に対し上下にスライド調整することによって、側面側ボードＢ１を的確に取り付けることができる。
【００４９】
また、連結金物６は、上部片１５と、下部片１６と、取付金物８が上下スライド可能に嵌合される垂直片１７とによって側面視コ字状に形成され、上部片１５の上面側に連結金物固定ボルト５を螺入するためのネジ孔１８を設け、垂直片１７には取付金物固定ボルト７を螺入し又は挿通するボルト孔１９又は３９を設けてなる構造であるから、横倒Ｈ形鋼１の下部フランジ４に嵌め込んでボルト５を締め付けるだけで簡単に取り付けることができると共に、安価に製作できるものである。
【００５０】
また取付金物８の金物本体２０には、側面側ボード取付用野縁１１に係合する第１係合部１３と、下面側ボード取付用野縁１２に係合する第２係合部１４と、他の側面側ボード取付用野縁３１を受ける野縁受け３５の端部を取り付けるための第１取付部３３と、他の下面側ボード取付用野縁３２を受ける野縁受け３６の端部を取り付けるための第２取付部３４を夫々一体に設けているから、梁として比較的大型の横倒Ｈ形鋼１を使用して、側面側ボードＢ１及び下面側ボードＢ２の高さ寸法や幅寸法が大きくなった場合には、第１係合部１３及び第２係合部１４を使用すると共に、他の側面側ボード取付用野縁３１を受ける野縁受け３５の端部を取り付けるための第１取付部３３及び他の下面側ボード取付用野縁３２を受ける野縁受け３６の端部を取り付けるための第２取付部３４を使用することによって、側面側ボードＢ１の高さ方向中間部を他の側面側ボード取付用野縁３１で支持でき、また下面側ボードＢ２の幅方向中間部を他の下面側ボード取付用野縁３２で支持できるかさ、その側面側ボードＢ１及び下面側ボードＢ２を的確に安定状態で取り付け固定できる。
【００５１】
また、この取付金物８では、図１から分かるように、第１係合部１３と第２係合部１４とが互いに直交する位置で互いに接近した位置に設けられるため、これら第１係合部１３及び第２係合部１４に側面側ボード取付用野縁１１及び下面側ボード取付用野縁１２を取り付けることにより、側面側ボード取付用野縁１１は、側面側ボードＢ１の出来るだけ下端部を支持することができ、また下面側ボード取付用野縁１２は、下部フランジ４の出来るだけ左右側の端部を支持することができ、それによって側面側ボードＢ１及び下面側ボードＢ２は夫々の端部がガタついたりすることなく、側面側ボード取付用野縁１１及び下面側ボード取付用野縁１２によって的確に支持されて取り付け固定される。
【図面の簡単な説明】
【００５２】
【図１】本発明に係るボード取付用金物の一実施形態を示す正面図である。
【図２】ボード取付用金物の斜視図である。
【図３】(a) はボード取付用金物における連結金物の展開状態を示す平面図、(b) は連結金物の斜視図である。
【図４】(a) はボード取付用金物における取付金物の展開状態を示す平面図、(b) は取付金物の斜視図である。
【図５】連結金物と取付金物とを切り離した状態を示すと共に、取付金物の役割を説明する斜視図である。
【図６】本発明に係るボード取付用金物の他の実施形態を示す正面図である。
【図７】(a) は本発明に係るボード取付用金物の他の実施形態を示す正面図、(b) は他の下面側ボード取付用野縁を受ける野縁受けの端部を示す斜視図である。
【図８】(a) は連結金物を上下逆さまに取り付ける場合の連結金物及び取付金物の配置を示す斜視図、(b) はその取付状態の正面図である。
【図９】第１取付部を連結金物に一体に設ける場合のボード取付用金物の実施形態を示す斜視図である。
【符号の説明】
【００５３】
１            梁である横倒Ｈ形鋼
４            横倒Ｈ形鋼の下部フランジ
５            連結金物固定ボルト
６            連結金物
７            取付金物固定ボルト
８            取付金物
Ｂ１          側面側ボード
Ｂ２          下面側ボード
１１          側面側ボード取付用野縁
１２          下面側ボード取付用野縁
１３          第１係合部
１４          第２係合部
１５          連結金物の上部片
１６          連結金物の下部片
１７          連結金物の垂直片
１８，１９    ネジ孔
２０          取付金物の金物本体
２２          長孔
３１          他の側面側ボード取付用野縁
３２          他の下面側ボード取付用野縁
３３          第１取付部
３４          第２取付部
３５          野縁受け
３６          野縁受け
【図１】
2005220730.tif 000003
【図２】
2005220730.tif 000004
【図３】
2005220730.tif 000005
【図４】
2005220730.tif 000006
【図５】
2005220730.tif 000007
【図６】
2005220730.tif 000008
【図７】
2005220730.tif 000009
【図８】
2005220730.tif 000010
【図９】
2005220730.tif 000011